(57)【要約】【課題】運搬、設置、撤収が容易な、空気膨張式物品展示装置の提供。【解決手段】エア式透明ケースＡは、販売したい服を着せたマネキンｍを円形板１５に載置し、マネキンｍを包囲して袋体２を、面状ファスナー２２、３１の接合により台座１に取り付け、袋体２へ送気穴１７から空気ｅを常時、供給し続けて球形に膨らんだ状態にする。このエア式透明ケースＡは、マネキンｍを視認可能に展示できるとともに、運搬、設置、撤収が容易である。【選択図】図１
0003121546.tif 000002
【実用新案登録請求の範囲】
【請求項１】
空気供給手段を内蔵した台座と、
可とう性を有する略透明の材料で袋状に成形され、袋体開口部を下向きに台座上部に取り付けた袋体とからなり、
前記空気供給手段から袋体内に空気を供給し続けて前記袋体を膨らんだ状態に維持して、袋体内の物品を視認可能に展示することを特徴とする空気膨張式物品展示装置。
【請求項２】
上面に平坦な円形載置部を設け、空気供給手段を内蔵した台座と、
可とう性を有する略透明の材料で袋状に成形され、円筒状の袋体開口部を下向きに前記円形載置部に取り付けた袋体とからなり、
前記円形載置部に設けた送気穴から袋体内に空気を供給し続けて前記袋体を膨らんだ状態に維持して、前記袋体内の物品を視認可能に展示することを特徴とする空気膨張式物品展示装置。
【請求項３】
上面に平坦な円形載置部を設け、該円形載置部の外縁に面状ファスナーを内側に取り付けたフランジ状の袋体取付部を周設し、空気供給手段を内蔵した台座と、
開口部外側面に別の面状ファスナー固着した、可とう性を有する略透明の材料で袋状に成形される袋体とからなり、
円筒状の袋体開口部を下向きにして、前記別の面状ファスナーが前記面状ファスナーに接合する様に前記袋体を前記袋体取付部に取り付け、
前記円形載置部に設けた送気穴から袋体内に空気を供給し続けて前記袋体を膨らんだ状態に維持して、前記袋体内の物品を視認可能に展示することを特徴とする空気膨張式物品展示装置。
【請求項４】
前記物品は、円形載置部上に載置されるか、吊糸で袋体内に吊り下げられることを特徴とする請求項２または請求項３に記載の空気膨張式物品展示装置。
【請求項５】
膨らんだ状態の前記袋体は、球形、円柱形、または円錐形であることを特徴とする請求項２乃至請求項４の何れかに記載の空気膨張式物品展示装置。
【請求項６】
前記袋体には、文字や絵柄が描かれていることを特徴とする請求項２乃至請求項５の何れかに記載の空気膨張式物品展示装置。
【考案の詳細な説明】
【技術分野】
【０００１】
本考案は、物品を視認可能に展示する物品展示装置に関する。
【背景技術】
【０００２】
従来より、透明な展示ショーケースが知られている（特許文献１）。
【特許文献１】特開２００１−３１２９１２号公報
【考案の開示】
【考案が解決しようとする課題】
【０００３】
特許文献１の様な従来の物品展示装置は、下記に示す課題を有する。
展示する物品が大型の場合には、物品展示装置も大型になり、大重量で嵩張るとともに、運搬、設置、撤収作業に手間がかかる。
展示する物品に対応する物品展示装置を設計して特注する必要があり、時間がかかるとともに、製造コストが高い。
屋外での展示に向かない。
【０００４】
本考案の目的は、運搬、設置、撤収が容易な、空気膨張式物品展示装置の提供にある。
【課題を解決するための手段】
【０００５】
〔請求項１について〕
台座は、送風機やコンプレッサ等の空気供給手段を内蔵し、様々な展示場所に載置される。
袋体は、可とう性を有する略透明の材料で袋状に成形される。
袋体内に物品を入れた後に、袋体開口部を下向きにして台座上部に袋体を取り付ける。  物品を展示する際には、空気供給手段から、袋体内に空気を常時、供給し続けて袋体内部を加圧し、袋体を膨らんだ状態に維持する。
これにより、袋体内の物品を視認可能に展示することができる。
【０００６】
空気膨張式物品展示装置は、可とう性を有する袋体に空気を常時、供給し続けて袋体内部を加圧し、袋体を膨らんだ状態に維持しているので、展示する物品が大型であっても、装置の重量を軽くでき、運搬、設置、撤収作業に手間がかからない。また、空気を抜けば、袋体を畳むことができるので運搬時に嵩張らない。
【０００７】
展示する物品に対応した形状の袋体を作れば良いので、空気膨張式物品展示装置を短い期間で製造できるとともに、製造コストが安価である。
空気膨張式物品展示装置は、袋体内に物品を展示する構造であるので、物品の濡れや損傷を防止でき、屋外での使用も可能である。
【０００８】
〔請求項２について〕
台座は、上面に平坦な円形載置部を設け、送風機やコンプレッサ等の空気供給手段を内蔵し、様々な展示場所に載置される。なお、円形載置部には、送気穴が設けられている。  袋体は、可とう性を有する略透明の材料で袋状に成形される。この袋体は、円筒状の袋体開口部を下向きにして、台座の円形載置部に取り付けられる。
物品を展示する際には、空気供給手段を作動させ、送気穴から袋体内に空気を常時、供給し続けて袋体内部を加圧し、袋体を膨らんだ状態に維持する。
これにより、袋体内の物品を視認可能に展示することができる。
【０００９】
空気膨張式物品展示装置は、可とう性を有する袋体に空気を常時、供給し続けて袋体内部を加圧し、袋体を膨らんだ状態に維持しているので、展示する物品が大型であっても、重量が軽く、運搬、設置、撤収作業に手間がかからない。また、空気を抜けば、袋体を畳むことができるので運搬時に嵩張らない。
【００１０】
空気膨張式物品展示装置は、袋体内に物品を展示（円形載置部に載置、吊糸で吊るす）する構造であるので、物品の濡れや損傷を防止でき、屋外での使用も可能である。
【００１１】
展示する物品に対応した形状の袋体を作れば良いので、空気膨張式物品展示装置を短い期間で製造できるとともに、製造コストが安価である。
【００１２】
〔請求項３について〕
空気供給手段を内蔵し、様々な展示場所に載置される台座は、上面に平坦な円形載置部を設け、この円形載置部の外縁に、面状ファスナーを内側に取り付けたフランジ状の袋体取付部を周設している。なお、円形載置部には、送気穴が設けられている。
【００１３】
袋体は、可とう性を有する略透明の材料で袋状に成形される。また、袋体の開口部外側面に別の面状ファスナーを固着している。この袋体は、円筒状の袋体開口部を下向きにして、開口部外側面側の別の面状ファスナーが、袋体取付部内側の面状ファスナーに接合する様に台座に取り付けられる。
【００１４】
物品を展示する際には、空気供給手段を作動させ、送気穴から袋体内に空気を常時、供給し続けて袋体内を加圧し、袋体を膨らんだ状態に維持する。
これにより、袋体内の物品を視認可能に展示することができる。
【００１５】
空気膨張式物品展示装置は、可とう性を有する袋体に空気を常時、供給し続けて袋体内部を加圧し、袋体を膨らんだ状態に維持しているので、展示する物品が大型であっても、装置の重量が軽い。また、面状ファスナーで、袋体を台座へ固定している。これらの構成により、運搬、設置、撤収作業に手間がかからない。また、空気を抜けば、袋体を畳むことができるので運搬時に嵩張らない。
【００１６】
空気膨張式物品展示装置は、袋体内に物品を展示（円形載置部に載置、吊糸で吊るす）する構造であるので、物品の濡れや損傷を防止でき、屋外での使用も可能である。
【００１７】
展示する物品に対応した形状の袋体を作れば良いので、空気膨張式物品展示装置を短い期間で製造できるとともに、製造コストが安価である。なお、袋体の袋体開口部の寸法を同じにすれば、台座を共通利用することができる。
【００１８】
袋体を膨らんだ状態に維持すると、空気圧により、面状ファスナーどうしが強固に接合するため、外れることなく台座へ袋体を強固に固定できる。
【００１９】
〔請求項４について〕
物品は、円形載置部上に載置するか、吊糸で袋体内に吊り下げる。なお、物品の載置や吊り下げは、袋体を台座へ取り付ける前に行っておく。
なお、袋体内に物品を吊り下げる場合には、空中に物品が浮いている様に見えるので人目を引き、高い展示効果が期待できる。
【００２０】
〔請求項５について〕
膨らんだ状態の袋体は、球形、円柱形、または円錐形である。なお、展示する物品の種類、形、大きさに対応した形状の袋体を選ぶ。
【００２１】
〔請求項６について〕
袋体の表面または裏面に、シート貼着や印刷等により、文字や絵柄を描く。
略透明の袋体に、文字や絵柄を描くことにより、文字や絵柄が空中に浮いている様に見える。
このため、人目を引き、高い展示効果が期待できる。
【考案を実施するための最良の形態】
【００２２】
エア式透明ケースは、面状ファスナーを内側に取り付けたフランジ状の袋体取付部を円形載置部の外縁に周設し、送風機を内蔵した台座と、開口部外側面に別の面状ファスナーを固着した袋状の袋体（透明ビニル製）とからなる。
展示する際には、円形載置部上にマネキン等の展示物を置き、円筒状の袋体開口部を下向きにして、別の面状ファスナーが面状ファスナーに接合する様に袋体を台座に取り付け、台座に内蔵した送風機を作動させ、円形載置部に設けた送気穴から袋体内に空気を供給し続けて袋体を膨らんだ状態に維持する。
これにより、展示物を視認可能に袋体内に展示できる。
【００２３】
エア式透明ケースは、袋体が透明ビニル製であるとともに、袋体の取り付けに面状ファスナーを採用している。
このため、展示物が大型であってもケースの重量が軽く、運搬、設置、撤収作業に手間がかからない。また、空気を抜いて袋体を畳むことができるので運搬時に嵩張らない。
このエア式透明ケースは、袋体内の展示物の濡れや損傷を防止でき、屋外での使用が可能である。
【実施例１】
【００２４】
本考案の実施例１（請求項１、２、４、５に対応）を図１に基づいて説明する。
エア式透明ケースＡは、台座１と、台座１に取り付けられる袋体２とからなり、袋体２内に、販売したい服を着せたマネキンｍを視認可能に展示している。
【００２５】
台座１は、重しとして機能するタイヤ１１と、タイヤ１１の穴内に嵌着され送風機１２を内蔵した円筒体１３（本実施例ではベニア製）と、円筒体１３に嵌め込まれ段部１４に載置される円形板１５（本実施例ではベニア製）とを備える。なお、円筒体１３の上部１６、段部１４、および円形板１５が円形載置部に相当する。
【００２６】
円筒体１３の上部１６には、帯状の面状体３（ビニル製）が取り付けられている。なお、面状体３の内面側には面状ファスナー３１が縫い付けられ、上部１６に嵌め込むための差込部３２を備えている。
【００２７】
送風機１２は、電力が供給されると作動し、円形板１５に開けた送気穴１７に接続したエアホース１８を介して空気ｅを袋体２内へ送り込む。
【００２８】
袋体２は、本実施例では、透明で可とう性を有する複数枚の帯体（透明ビニル製）を縫い合わせて、円筒状の袋体開口部２１を有する袋状に製造され、膨らんだ状態では球形を呈する。
なお、袋体開口部２１の外側面には、別の面状ファスナー２２を縫い付けた帯状の面状体２３（ビニル製）が固着されている。
【００２９】
エア式透明ケースＡは、以下の手順で設置し、撤去する。
（１）台座１を展示場所に設置する。
なお、円形板１５は、円筒体１３に嵌め込まれ、段部１４に載置されている。また、面状ファスナー３１が内面側になる様に、上部１６に面状体３の差込部３２を嵌め込んでおく。
【００３０】
（２）販売したい服を着せたマネキンｍを平坦な円形板１５に乗せる。なお、固定ボルト等でマネキンｍを円形板１５に固定したり、マネキンｍの足に金属板を取り付けたりして、マネキンｍの転倒防止を図るのが好ましい。
【００３１】
（３）袋体開口部２１を下向きにしてマネキンｍに袋体２を被せ、開口部外面側の面状ファスナー２２が、円筒体内面側の面状ファスナー３１に接合する様に、袋体２を円筒体１３に取り付ける。
【００３２】
（４）展示中は、送風機１２に電力を供給し続け、送気穴１７に接続したエアホース１８を介して空気ｅを袋体２内へ供給し続けて袋体内を加圧し、袋体２を球状に膨らんだ状態に維持する。なお、送風機１２への電力を遮断すると、縫合隙間やファスナー接合部から空気が抜けて袋体２が数十秒から数分で萎んでしまうため、展示中は常に電力を供給し続ける必要がある。
【００３３】
（５）展示会が終わり、撤去する場合には、面状ファスナー２２、３１の接合部分に手等を入れて引き剥がし、袋体２を台座１から分離する。なお、送風機１２への電力停止は、分離前でも分離後でも良い。
【００３４】
本実施例のエア式透明ケースＡは、以下の利点を有する。
エア式透明ケースＡは、可とう性を有する透明ビニル製の帯体を複数枚、縫い合わせて袋状にし、空気を供給し続けて球形に膨らませ、円形板１５に販売したい服を着せたマネキンｍを乗せる構造であるので、大きい割りには重量が軽い。このため、運搬、設置、撤収作業に手間がかからない。
【００３５】
また、開口部外面側の面状ファスナー２２が、円筒体内面側の面状ファスナー３１に接合する様に、袋体２を円筒体１３に取り付けている。そして、袋体２を膨らんだ状態にすると、面状ファスナーどうしが強固に接合する。このため、袋体２を、台座１へ強固に固定できるとともに、ファスナー接合部からの空気漏れを少なくできる。また、袋体２から空気を抜けば容易に畳むことができるので運搬時に嵩張らない。
【００３６】
エア式透明ケースＡは、袋体２内に販売したい服を着せたマネキンｍを視認可能に展示する構造であるので、マネキンｍの濡れや損傷を防止でき、屋外での使用も可能である。  
【００３７】
エア式透明ケースＡは、空気を供給し続けて袋体２を膨らんだ状態に維持すると球形となるので、内圧力で袋体が破れ難い。また、人目を引いて目立つので高い展示効果が期待できる。
【実施例２】
【００３８】
つぎに、本考案の実施例２（請求項１〜５に対応）を図２に基づいて説明する。
エア式透明ケースＢは、台座４と、台座４に取り付けられる袋体５とからなり、袋体５内に、販売したい服を着せたマネキンｍを視認可能に展示している。
【００３９】
台座４は、重しとして機能するタイヤ４１と、タイヤ４１の穴内に嵌着され送風機４２を内蔵した天板付きの円筒体４３（本実施例ではベニア製）と、円筒体４３の天板４４にネジｎで固定される円形板４５（本実施例ではベニア製）と、円形板４５−天板４４間に水平部が挟着されるビニル製の袋体取付部４６とを備える。
袋体取付部４６の垂直部４７は、円形板４５の外縁から立設し、内側に面状ファスナー４０を縫い付けている。
【００４０】
袋体５は、透明で可とう性を有する複数枚の帯体（透明ビニル製）を縫い合わせて、円筒状の袋体開口部５１を有する袋状に製造され、膨らんだ状態では円柱形を呈する。
なお、袋体開口部５１の外側面には、別の面状ファスナー５２を縫い付けた帯状の面状体５３が固着されている。
【００４１】
エア式透明ケースＢは、以下の手順で設置し、撤去する。
（１）台座４を展示場所に設置する。
なお、予め、円形板４５を円筒体４３の天板４４にネジｎで固定し、円形板４５−天板４４間に袋体取付部４６を挟着しておく。
【００４２】
（２）販売したい服を着せたマネキンｍを平坦な円形板４５に乗せる。なお、固定ボルト等でマネキンｍを円形板４５に固定したり、マネキンｍの足に金属板を取り付けたりして、マネキンｍの転倒防止を図るのが好ましい。
【００４３】
（３）袋体開口部５１を下向きにしてマネキンｍに袋体５を被せ、開口部外面側の面状ファスナー５２が、垂直部内面側の面状ファスナー４０に接合する様に、袋体５を台座４に取り付ける。
【００４４】
（４）展示中は、送風機４２に電力を供給し続け、送気穴４８に接続したエアホース４９を介して空気ｅを袋体５内へ供給し続けて袋体５内を加圧し、袋体５を円柱形に膨らんだ状態に維持する。
【００４５】
（５）展示会が終わり、撤去する場合には、面状ファスナー５２、４０の接合部分に手等を入れて引き剥がし、袋体５を台座４から分離する。なお、送風機４２への電力停止は、分離前でも分離後でも良い。
【００４６】
本実施例のエア式透明ケースＢは、以下の利点を有する。
エア式透明ケースＢは、可とう性を有する透明ビニル製の帯体を複数枚、縫い合わせて袋状にし、空気を供給し続けて円柱状に膨らませ、円形板４５に販売したい服を着せたマネキンｍを乗せる構造であるので、大きい割りには重量が軽い。このため、運搬、設置、撤収作業に手間がかからない。
【００４７】
また、開口部外面側の面状ファスナー５２が、垂直部内面側の面状ファスナー４０に接合する様に、袋体５を台座４に取り付けている。そして、袋体５を膨らんだ状態にすると、面状ファスナーどうしが強固に接合する。このため、袋体５を、台座４へ強固に固定できるとともに、ファスナー接合部からの空気漏れを少なくできる。また、袋体５から空気を抜けば容易に畳むことができるので運搬時に嵩張らない。
【００４８】
袋体取付部４６が布製であるので、面状ファスナー５２、４０の接合部分に手等を入れて引き剥がし易い。このため、展示会が終わり、撤去する場合には、袋体５を台座４から容易に分離できる。
【００４９】
エア式透明ケースＢは、袋体５内に販売したい服を着せたマネキンｍを視認可能に展示する構造であるので、マネキンｍの濡れや損傷を防止でき、屋外での使用も可能である。  
【００５０】
エア式透明ケースＢは、袋体５を膨らんだ状態にすると円柱形であるので、横方向に嵩張らない。このため、展示品どうしの間隔が狭い会場内で展示する場合や、エア式透明ケースＢに見学者を近づかせて、販売したい服を着せたマネキンｍを至近距離で見せる場合に特に好適である。
【実施例３】
【００５１】
つぎに、本考案の実施例３（請求項１、２、４、５、６に対応）を図３に基づいて説明する。
エア式透明ケースＣは、台座６と、台座６に取り付けられる袋体７とからなり、袋体７内に、販売したい服ｆを視認可能に吊り下げて展示している。
【００５２】
台座６は、重しとして機能する送風機６１を内蔵した円筒体６２（本実施例ではベニア製）と、円筒体６２に嵌め込まれ段部６３に載置される円形板６４（本実施例ではベニア製）とを備える。なお、円筒体６２の上部６５、段部６３、および円形板６４が円形載置部に相当する。
【００５３】
円筒体６２の上部６５には、帯状の面状体８（ビニル製）が取り付けられている。なお、面状体８の内面側には面状ファスナー８１が縫い付けられ、上部６５に嵌め込むための差込部８２を備えている。
【００５４】
送風機６１は、電力が供給されると作動し、円形板６４に開けた送気穴６６に接続したエアホース６７を介して空気ｅを袋体７内へ送り込む。
【００５５】
袋体７は、透明で可とう性を有する複数枚の帯体（透明ビニル製）を縫い合わせて、円筒状の袋体開口部７１を有する袋状に製造され、膨らんだ状態では円柱形を呈する。
なお、袋体開口部７１の外側面には、別の面状ファスナー７２を縫い付けた帯状の面状体７０（ビニル製）が固着されている。
【００５６】
袋体６には、人目を引くための、文字７３（ＡＢＣＤＥＦ…）やリング７４が描かれている。
服ｆは、袋体７の縫目７５に通した透明な細い吊糸７６（本実施例では四本）により、着ている状態に似せて吊り下げられている。
【００５７】
エア式透明ケースＣは、以下の手順で設置し、撤去する。
（１）台座６を展示場所に設置する。
なお、円形板６４は、円筒体６２に嵌め込まれ、段部６３に載置されている。また、面状ファスナー８１が内面側になる様に、上部６５に面状体８を嵌め込んでおく。
【００５８】
（２）先端に服ｆを取り付けた吊糸７６の末端を、針を使って袋体７の縫目７５から袋体外に出し、粘着テープ等で仮止めしておく。
袋体７の文字７３やリング７４は、袋体縫製前の平坦な帯体に、予め、貼着や印刷等により、袋体内膜面に描いておく。なお、膨張時に、螺旋や傾斜して見える様に、袋体内膜面に文字７３やリング７４を描く。
【００５９】
（３）袋体開口部７１を下向きにして、開口部外面側の面状ファスナー７２が、円筒体内面側の面状ファスナー８１に接合する様に、袋体７を台座６に取り付ける。
【００６０】
（４）送風機６１に電力を供給し、送気穴６６に接続したエアホース６７を介して空気ｅを袋体７内へ送り込み、袋体７を円柱形に膨らんだ状態に維持する。
袋体７が膨らんで立ち上がったら、一旦、粘着テープを外し、各吊糸７６の末端の寸法を調節して服ｆの姿勢を調整し、再び、粘着テープ等で止める。
【００６１】
（５）展示会が終わり、撤去する場合には、面状ファスナー７２、８１の接合部分に手等を入れて、袋体７を台座６から分離する。
【００６２】
本実施例のエア式透明ケースＣは、以下の利点を有する。
エア式透明ケースＣは、可とう性を有する透明ビニル製の帯体を複数枚、縫い合わせて袋状にし、空気で円柱形に膨らませ、袋体７内に、販売したい服ｆを視認可能に吊り下げて展示する構造であるので、大きい割りには重量が軽い。このため、運搬、設置、撤収作業に手間がかからない。
【００６３】
また、開口部外面側の面状ファスナー７２が、円筒体６２の面状ファスナー８１に接合する様に、袋体７を台座６に取り付けている。そして、袋体７を膨らんだ状態にすると、面状ファスナーどうしが強固に接合する。このため、袋体７を、台座６へ強固に固定できるとともに、ファスナー接合部からの空気漏れを防止できる。また、空気を抜けば容易に畳むことができるので運搬時に嵩張らない。
【００６４】
エア式透明ケースＣは、販売したい服ｆを袋体７内に視認可能に吊り下げて展示する構造であるので、服ｆの濡れや損傷を防止でき、屋外での使用も可能である。
【００６５】
エア式透明ケースＣは、袋体７を膨らんだ状態にすると円柱形であるので、横方向に嵩張らない。このため、展示品どうしの間隔が狭い場所で展示する場合や、エア式透明ケースＣに見学者を近づかせて、吊り下げた服ｆを至近距離で見せる場合に特に好適である。  
【００６６】
袋体７の縫目７５に通した透明な細い吊糸７６により、着ている状態に似せて服ｆを吊り下げる構造であるので、空中に服ｆが浮いている様に見えるので人目を引き、高い展示効果が期待できる。
【００６７】
文字７３やリング７４を袋体７の内膜面に描いているので、文字やリングが空中に浮いている様に見える。このため、人目を引き、高い展示効果が期待できる。また、文字７３やリング７４の脱落や剥がれが起き難い。
なお、袋体縫製前の平坦な帯体に、予め、貼着や印刷等により、文字やリングを袋体内膜面に描いておく手法であるので、膨らんだ袋体に、文字やリングを作業者が描く必要がない。
【００６８】
本考案は、上記実施例以外に、つぎの実施態様を含む。
ａ．袋体は、複数枚の帯体を縫い合わせる以外に、加熱した帯体どうしを加圧して接合する熱溶着、接着剤による帯体どうしの接着、オープンファスナー等による帯体どうしの接合等の手法により袋状に成形しても良い。また、一体形成による一枚物であっても良い。ｂ．提灯等の様に、袋体に骨を組み込んでも良い。
【００６９】
ｃ．照明の光や太陽光を遮る必要が有る場合や、背後からの視認を禁止する場合には、遮光が必要な箇所を着色等で遮光したり、遮光性の布地を必要箇所に貼着する。
ｄ．面状ファスナー以外に、締め付けバンドで、円筒状の袋体開口部を台座に取り付けても良い（請求項１、２に対応）。
【００７０】
ｅ．膨らんだ状態の袋体は、丸みを帯びた立体であれば適用可能であり、球形、円柱形、円錐形以外の形状であっても良い（請求項１、２、３、４に対応）。
【００７１】
ｆ．帽子やリボン等の物品を、袋体内に吊り下げても良い。
なお、ロープやテグス等の吊糸で物品を四箇所以上から吊れば、袋体内の任意の位置に物品を、所望の姿勢で静止させることができる。
【００７２】
ｇ．台座を設置する展示場所は地面や床に限定されない。例えば、屋根や屋上、壁から横に突出した突出部等への設置も可能である。
【００７３】
ｈ．送気穴から照明用のコンセント付の電気コードを、台座から袋体内へ出しても良い。
【図面の簡単な説明】
【００７４】
【図１】本考案の実施例１に係るエア式透明ケースの構造を示す説明図である。
【図２】本考案の実施例２に係るエア式透明ケースの構造を示す説明図である。
【図３】本考案の実施例３に係るエア式透明ケースの構造を示す説明図である。
【符号の説明】
【００７５】
Ａ、Ｂ、Ｃ  エア式透明ケース（空気膨張式物品展示装置）
ｆ  服（物品）
ｍ  マネキン（物品）
１、４、６  台座
２、５、７  袋体
１２、４２、６１  送風機（空気供給手段）
１５、４５、６４  円形板（円形載置部）
２１、５１、７１  袋体開口部
１６  上部（台座上部）
４６  袋体取付部
１７、４８、６６  送気穴
２２、５２、７２  面状ファスナー（別の面状ファスナー）
３１、４０、８１  面状ファスナー
７３  文字
７４  リング（絵柄）
７６  吊糸
【図１】
0003121546.tif 000003
【図２】
0003121546.tif 000004
【図３】
0003121546.tif 000005